(57)【特許請求の範囲】
【請求項１】
複数のパイプを吊上げるためのパイプ吊上げ装置であって、
複数のパイプの一端部を保持する端部保持具と、
複数のパイプの中間部を保持する中間保持具と、
前記端部保持具及び前記中間保持具を連結する連結手段とを備え、
前記端部保持具は、複数のパイプを囲む枠状をなすと共に、その一部が開閉して複数のパイプを受け入れ可能とされた枠体部と、同枠体部の一部を閉じた状態に保持する締め付け手段と、複数のパイプの端面に当接して軸方向移動を規制する端板とを有しており、
前記中間保持具は、複数のパイプを囲む枠状をなすと共に、その一部が開閉して複数のパイプを受け入れ可能とされた枠体部と、同枠体部の一部を閉じた状態に保持する締め付け手段と、吊上げ用の吊り具を引き掛けるための、引き掛け部とを有しており、
前記端部保持具及び前記中間保持具の前記枠体部は、底板と、該底板に所定間隔を設けて対向して配置される天板と、前記底板及び前記天板の両側部に配置される両側板と、前記底板と前記天板との間に平行に配置されて前記枠体部内を複数段に仕切る棚板と、前記底板及び／又は前記棚板の上に載置されるパイプ間に挿入されて、パイプの横方向移動を規制する位置決め突部とを有しており、前記天板と前記棚板とが開閉可能とされており、前記締め付け手段は、前記天板と前記棚板とを閉じた状態に保持するものからなることを特徴とするパイプ吊上げ装置。
【請求項２】
前記棚板及び／又は前記天板には、前記位置決め突部によって位置決めされた前記パイプの上部の径方向中央に上方から当接可能とされた押え突部が設けられている請求項１記載のパイプ吊上げ装置。
【請求項３】
前記端部保持具の前記棚板は、その一端部を前記側板に回動可能に連結されて開閉可能とされており、前記端部保持具の前記天板は、その一端部を前記端板に回動可能に連結されて開閉可能とされており、
前記中間保持具の前記棚板は、その一端部を前記側板の一方に回動可能に連結されて開閉可能とされており、前記中間保持具の前記天板は、その一端部を前記側板の他方に回動可能に連結されて開閉可能とされている請求項１又は２記載のパイプ吊上げ装置。
【請求項４】
前記連結手段は、前記端部保持具と前記中間保持具との間隔を調整可能な、調整手段を有している請求項１〜３のいずれか１つに記載のパイプ吊り下げ装置。
【請求項５】
前記連結手段は、チェーンからなり、前記調整手段は、ターンバックルからなる請求項４記載のパイプ吊上げ装置。
【請求項６】
複数のパイプを吊上げるためのパイプ吊上げ装置であって、
複数のパイプの一端部を保持する端部保持具と、
複数のパイプの中間部を保持する中間保持具と、
前記端部保持具及び前記中間保持具を連結する連結手段とを備え、
前記端部保持具は、複数のパイプを囲む枠状をなすと共に、その一部が開閉して複数のパイプを受け入れ可能とされた枠体部と、同枠体部の一部を閉じた状態に保持する締め付け手段と、複数のパイプの端面に当接して軸方向移動を規制する端板とを有しており、
前記中間保持具は、複数のパイプを囲む枠状をなすと共に、その一部が開閉して複数のパイプを受け入れ可能とされた枠体部と、同枠体部の一部を閉じた状態に保持する締め付け手段と、吊上げ用の吊り具を引き掛けるための、引き掛け部とを有しており、
前記締付け手段は、前記底板又は前記側板に一端が枢支されたボルトと、該ボルトに螺着されるナットと、前記ボルトを回動させたときに前記ボルトを受け入れる、前記天板に形成された第１溝と、前記天板に対して開閉可能に取付けられ、閉じたときに前記天板の第１溝に重なる開閉板と、該開閉板を閉じるときに前記ボルトを受入れる、前記第１溝に交差して前記開閉板に設けられた第２溝とを有していることを特徴とするパイプ吊上げ装置。
【発明の詳細な説明】
【技術分野】
【０００１】
本発明は、例えば、水処理施設等での高所作業時に用いられる足場用のパイプを、吊上げるための、パイプ吊上げ装置に関する。
【背景技術】
【０００２】
従来から、水槽やタンク等の水処理施設の高所において、工事をする場合には、複数のパイプで足場を組んでいる。このとき、水処理施設の、資材の搬入スペースが小さい場合には、パイプを斜めに吊上げる必要がある。
【０００３】
例えば、図１８に示すように、複数のパイプＰの長手方向両端側を番線２，２でそれぞれ結束すると共に、番線２よりも太い一本のベルト３を、複数のパイプＰの長手方向両端部に巻き付け、同ベルト３の上端部を、吊り具５で引っ掛けてクレーンで吊上げるようになっている。なお、吊上げ時に下方となるパイプＰの端部側には、保持袋７が装着されており、パイプＰの抜け落ちを防止している。
【０００４】
また、複数のパイプを保持するためのものとして、下記特許文献１には、長尺材料を搭載して緊縛することが可能な矩形状の台枠と、その長手方向一端部にのみ立設された端部規制板とを有し、台枠の端部規制板側の一端部に、台枠の長手方向に対して回転自在な車輪を設け、台枠の長手方向両端側に、台枠を車輪が傾斜下端に位置する傾斜姿勢で吊り上げるための長さの異なる吊ワイヤを連結した、長尺材料の吊荷用治具が記載されている。
【先行技術文献】
【特許文献】
【０００５】
【特許文献１】実用新案登録第２５１６８４４号公報
【発明の概要】
【発明が解決しようとする課題】
【０００６】
しかしながら、図１８に示すような、番線２で複数のパイプＰを緊縛する吊上げ方法では、複数のパイプＰを番線２で緊縛したり、ベルト３を巻き付けたり、抜け落ち防止用の保持袋７を装着したりする作業が、煩雑で非常に手間がかかり、作業性に問題があった。
【０００７】
また、上記特許文献１の吊荷用治具においても、長尺の矩形状をなした台枠上に、複数のパイプを載置した後、番線等で緊縛する必要があるので、作業が煩雑であることに変わりはない。更に、台枠は、パイプを保持するために、所定長さで伸びる長尺状をなしているので、水処理施設等において、資材の搬入スペースや、作業スペースが小さい場合には、取扱いが難しい。
【０００８】
したがって、本発明の目的は、複数のパイプを作業性よく安全に保持して吊上げることができ、取扱いも簡単な、パイプ吊上げ装置を提供することにある。
【課題を解決するための手段】
【０００９】
上記目的を達成するため、本発明は、複数のパイプを吊上げるためのパイプ吊上げ装置であって、複数のパイプの一端部を保持する端部保持具と、複数のパイプの中間部を保持する中間保持具と、前記端部保持具及び前記中間保持具を連結する連結手段とを備え、前記端部保持具は、複数のパイプを囲む枠状をなすと共に、その一部が開閉して複数のパイプを受け入れ可能とされた枠体部と、同枠体部の一部を閉じた状態に保持する締め付け手段と、複数のパイプの端面に当接して軸方向移動を規制する端板とを有しており、前記中間保持具は、複数のパイプを囲む枠状をなすと共に、その一部が開閉して複数のパイプを受け入れ可能とされた枠体部と、同枠体部の一部を閉じた状態に保持する締め付け手段と、吊上げ用の吊り具を引き掛けるための、引き掛け部とを有することを特徴とする。
【００１０】
この発明によれば、端部保持具がパイプの一端部に位置し、中間保持具が全体の重心となる位置より、端部保持具から離れた位置になるように配置して、複数の各パイプの一端部を端部保持具の枠体部に挿入設置し、中間部を中間保持具の枠体部に挿入設置して、それぞれの保持具の締め付け手段によって枠体部を閉じた状態に保持させ、端部保持具及び中間保持具を連結手段で連結して、中間保持具の引掛け部に吊り具を引き掛けて引き上げることにより、端部保持具が下になるように傾かせた状態で、複数のパイプを持ち上げることができる。このとき、端部保持具は、中間保持具に連結手段で連結され、かつ、複数のパイプの端面に当接して軸方向移動を規制する端板を有しているので、パイプが抜け落ちる心配がない。このように、一対の保持具によって、複数のパイプを、作業性よく、安全に保持して吊り上げることができる。また、端部保持具と中間保持具とが分離しているので、運びやすく、保管スペースや、作業スペースも小さくてよく、取扱い性がよい。
【００１１】
本発明のパイプ吊上げ装置においては、前記端部保持具及び前記中間保持具の前記枠体部は、底板と、該底板に所定間隔を設けて対向して配置される天板と、前記底板及び前記天板の両側部に配置される両側板と、前記底板と前記天板との間に平行に配置されて前記枠体部内を複数段に仕切る棚板と、前記底板及び／又は前記棚板の上に載置されるパイプ間に挿入されて、パイプの横方向移動を規制する位置決め突部とを有しており、前記天板と前記棚板とが開閉可能とされており、前記締め付け手段は、前記天板と前記棚板とを閉じた状態に保持するものからなることが好ましい。
【００１２】
この態様によれば、底板上にパイプを配列し、その上に棚板を載せて棚板上にパイプを配列し、最後に天板を被せて、締め付け手段によって天板と棚板とを閉じた状態に保持することによって、複数のパイプを複数段に積み上げて、かつ、位置決め突部によってパイプの横方向移動を規制した状態で、端部保持具及び中間保持具に保持させることができる。
【００１３】
本発明のパイプ吊上げ装置においては、前記棚板及び／又は前記天板には、前記位置決め突部によって位置決めされた前記パイプの上部の径方向中央に上方から当接可能とされた押え突部が設けられていることが好ましい。
【００１４】
この態様によれば、底板又は棚板に位置決め突部によって横方向移動を規制されて載置されたパイプの上部の径方向中央を押え突部で押さえることにより、複数のパイプをガタ付きなく保持することができる。
【００１５】
本発明のパイプ吊上げ装置においては、前記端部保持具の前記棚板は、その一端部を前記側板に回動可能に連結されて開閉可能とされており、前記端部保持具の前記天板は、その一端部を前記端板に回動可能に連結されて開閉可能とされており、前記中間保持具の前記棚板は、その一端部を前記側板の一方に回動可能に連結されて開閉可能とされており、前記中間保持具の前記天板は、その一端部を前記側板の他方に回動可能に連結されて開閉可能とされていることが好ましい。
【００１６】
この態様によれば、端部保持具においては、棚板の一端部が側板に回動可能に連結されているので、左右に開閉することができ、天板の一端部が端板に回動可能に連結されているので、前後に開閉することができる。この場合、天板と端板とが連結されていることにより、複数のパイプの端部をしっかりと保持することができ、パイプの抜け落ち等をより確実に防止することができる。また、中間保持具においては、棚板の一端部が側板の一方に回動可能に連結され、天板の一端部が側板の他方に回動可能に連結されているので、棚板及び天板をそれぞれ左右に開閉することができ、作業性が向上すると共に、パイプの保持強度をバランスよく保つことができる。
【００１７】
本発明のパイプ吊上げ装置においては、前記連結手段は、前記端部保持具と前記中間保持具との間隔を調整可能な、調整手段を有していることが好ましい。
【００１８】
この態様によれば、パイプの長さに応じて、端部保持具と中間保持具との距離を変化させた場合でも、柔軟に対応することができると共に、それぞれの保持具にパイプを保持させた後は、調整手段によって連結手段がたるみなく張られるようにして、中間保持具の引掛け部に吊り具を引き掛けて引き上げたとき、中間保持具や端部保持具が軸方向にずれることを抑制することができる。
【００１９】
本発明のパイプ吊上げ装置においては、前記連結手段は、チェーンからなり、前記調整手段は、ターンバックルからなることが好ましい。
【００２０】
この態様によれば、連結手段がチェーンからなるので十分な引っ張り強度を付与できると共に、引掛け部に引き掛ける位置や、ターンバックルの取付位置を変更することによって、端部保持具と中間保持具の距離に適合させることができる。また、ターンバックルを回転させることにより、比較的容易にたるみをなくして張設された状態にすることができる。
【００２１】
本発明のパイプ吊上げ装置においては、前記締付け手段は、前記底板又は前記側板に一端が枢支されたボルトと、該ボルトに螺着されるナットと、前記ボルトを回動させたときに前記ボルトを受け入れる、前記天板に形成された第１溝と、前記天板に対して開閉可能に取付けられ、閉じたときに前記天板の第１溝に重なる開閉板と、該開閉板を閉じるときに前記ボルトを受入れる、前記第１溝に交差して前記開閉板に設けられた第２溝とを有していることが好ましい。
【００２２】
この態様によれば、天板を閉じた状態、開閉板を開いた状態にして、ボルトを回動させて第１溝に挿入し、次いで、ボルトを第２溝に挿入しつつ開閉板を閉じて、ボルトにナットを螺着して開閉板を締め付け固定することにより、ボルトの周囲が第１溝と第２溝で囲まれてどの方向にも抜けない状態になるので、ボルトの外れを確実に防止することができる。
【発明の効果】
【００２３】
本発明によれば、端部保持具は、中間保持具に連結手段で連結され、かつ、複数のパイプの端面に当接して軸方向移動を規制する端板を有しているので、パイプが抜け落ちる心配がなく、複数のパイプを、作業性よく、安全に保持して吊り上げることができ、また、端部保持具と中間保持具とが分離しているので、運びやすく、保管スペースや、作業スペースも小さくてよく、取扱い性がよい。
【図面の簡単な説明】
【００２４】
【図１】本発明に係るパイプ吊上げ装置の、一実施形態を示す斜視図である。
【図２】同パイプ吊上げ装置の側面図である。
【図３】同パイプ吊上げ装置を構成する端部保持具において、枠体部の一部を開いた状態の斜視図である。
【図４】同端部保持具の平面図である。
【図５】同端部保持具の正面図である。
【図６】同端部保持具の背面図である。
【図７】図５のＡ−Ａ矢示線における断面図である。
【図８】同パイプ吊上げ装置を構成する中間保持具において、枠体部の一部を開いた状態の斜視図である。
【図９】同端部保持具の平面図である。
【図１０】同端部保持具の正面図である。
【図１１】図１０のＢ−Ｂ矢示線における断面図である。
【図１２】同パイプ吊上げ装置の使用方法を示しており、その第１使用方法を示す斜視図である。
【図１３】同パイプ吊上げ装置の第２使用方法を示す斜視図である。
【図１４】同パイプ吊上げ装置の第３使用方法を示す斜視図である。
【図１５】同パイプ吊上げ装置の第４使用方法を示す斜視図である。
【図１６】同パイプ吊上げ装置を用いて、パイプを吊上げる際の状態を示す説明図である。
【図１７】同パイプ吊上げ装置を用いて、パイプを吊上げて所定箇所に設置する際の状態を示しており、（ａ）は第１状態を示す説明図、（ｂ）は第２状態を示す説明図、（ｃ）は第３状態を示す説明図である。
【図１８】従来のパイプ吊上げ状態を示す説明図である。
【発明を実施するための形態】
【００２５】
以下、図面を参照して、本発明のパイプ吊上げ装置の、一実施形態について説明する。
【００２６】
この実施形態のパイプ吊上げ装置１０（以下、単に「吊上げ装置１０」という）は、複数のパイプＰを吊上げるためのものであって、図１及び図２に示すように、複数のパイプＰの一端部を保持する端部保持具２０と、複数のパイプＰの中間部を保持する中間保持具５０と、端部保持具２０及び中間保持具５０を連結する連結手段（この実施形態ではチェーン９０）とを備えている。
【００２７】
まず、図３〜７を参照して、端部保持具２０について説明する。この端部保持具２０は、複数のパイプＰを囲む枠状をなすと共に、その一部が開閉して複数のパイプＰを受け入れ可能とされた枠体部２１と、同枠体部２１の一部を閉じた状態に保持する締め付け手段と、複数のパイプＰの端面に当接して軸方向移動を規制する端板２３とを有している。
【００２８】
図３及び図７に示すように、枠体部２１は、底板２４と、該底板２４に所定間隔を設けて対向して配置される天板２５と、底板２４及び天板２５の両側部に配置される両側板２７，２８と、底板２４と天板２５との間に平行に配置されて枠体部２１内を複数段に仕切る複数の棚板２９，３０とを有している。
【００２９】
前記底板２４は長板状をなしており、その長手方向に直交する幅方向（以下、単に「幅方向」という。端板２３や、天板２５、棚板２９，３０においても同様）の一端部から、前記端板２３が底板２４に対して直角に立設されている。また、前記天板２５は、底板２４に適合する長板状をなしており、長手方向に直交する幅方向の一端部が、ヒンジ２５ａを介して、端板２３の上端部に回動可能に連結されて開閉可能とされている。
【００３０】
更に、底板２４の長手方向一端部から側板２７が直角に立設しており、前記端板２３の長手方向一端部に連結されている。また、図３及び図７に示すように、底板２４の長手方向他端部から側板２８が直角に立設しており、端板２３の長手方向他端部に連結されている。なお、側板２７の方が、側板２８よりも高く立設している。
【００３１】
また、前記棚板２９は、その長手方向一端部が、ヒンジ２９ａを介して、高い方の側板２７の上端部に回動可能に連結されて開閉可能とされている。一方、前記棚板３０は、その長手方向一端部が、ヒンジ３０ａを介して、低い方の側板２８の上端部に回動可能に連結されて開閉可能とされている。すなわち、この実施形態においては、枠体部２１の側板２７，２８に、配置高さが異なるように左右で互い違いに開閉可能に、棚板２９，３０がそれぞれ連結されるようになっており、両棚板２９，３０が閉じた状態では、上方に棚板２９が配置され、その下方に棚板３０が配置されるようになっている（図７参照）。
【００３２】
更に、底板２４の幅方向の、前記端板２３寄りの位置には、底板２４の長手方向に沿って、細長板状をなした端板２３ａが設けられており（図３参照）、また、棚板２９，３０の、端板２３側の幅方向一端部にも、棚板２９，３０の長手方向に沿って、細長板状をなした端板２３ａが設けられている（図７参照）。この実施形態においては、これらの端板２３ａに、複数のパイプＰの端面が当接して、その軸方向移動を規制するようになっている。なお、これらの端板２３ａを設けずに、前記端板２３によって、パイプＰの軸方向移動を規制してもよい。
【００３３】
また、図３や図７に示すように、底板２４及び各棚板２９，３０の上面側（パイプ載置面側）や、天板２５の内面側（パイプＰとの対向面側）であって、その長手方向両端からパイプ１本分の幅をあけた位置には、各板の幅方向に沿って伸びる仕切り板３１，３１が所定高さで設けられている。
【００３４】
そして、図７に示すように、底板２４の仕切り板３１，３１が、閉じた状態の棚板２９の下面に当接し、棚板２９の仕切り板３１，３１が、閉じた状態の棚板３０の下面に当接し、棚板３０の仕切り板３１，３１が、天板２５の仕切り板３１，３１と互いに当接することによって、枠体部２１の長手方向両端部のそれぞれに、上下３段でパイプＰが保持されると共に、枠体部２１の長手方向両端部を除く中央部分にも、棚板２９，３０によって、複数のパイプＰが横並びで上下３段で保持されるようになっている。
【００３５】
更に、底板２４及び各棚板２９，３０には、それらの板上に載置されるパイプＰの間に挿入されて、パイプＰの横方向移動を規制する位置決め突部３２が設けられている。なお、パイプＰの「横方向移動」とは、パイプＰの軸方向に直交する方向への移動を意味する。
【００３６】
この実施形態においては、図３や図７に示すように、底板２４及び各棚板２９，３０であって、前記仕切り板３１，３１の間に、その幅方向に二つ一組で配置された、位置決め突部３２，３２が、パイプＰを配置可能な間隔をあけて複数組突設されている。この実施形態では、二つ一組の位置決め突部３２，３２が４組配置されており、前記仕切り板３１，３１との間で、５本のパイプＰを枠体部２１の長手方向に並列して配置可能となっている。なお、位置決め突部の形状や個数には、特に限定はない。
【００３７】
また、棚板２９，３０には、前記位置決め突部３２，３２によって、位置決めされたパイプＰの上部の径方向中央に上方から当接可能とされた押え突部３３が設けられている。この実施形態では、図３や図１３、図１４に示すように、棚板２９，３０の下面側（パイプ載置面とは反対側）に、幅狭板状をなした押え突部３３が、棚板２９，３０の幅方向に二つ一組で、隣接配置されたパイプＰの上部の径方向中央に上方から当接可能な間隔をあけて、複数組突設されている。なお、この押え突部は、天板２５に設けてもよい。
【００３８】
また、棚板２９の長手方向他端部の下面側からは、棚板２９を閉じたときに、棚板３０の長手方向一端部側の上方に配置される、外板２９ｂが垂設されている。更に、前記天板２５の長手方向両端部の内面側からは、天板２５を閉じたときに、棚板２９の長手方向両端部の上方に配置される、外板３４，３４がそれぞれ垂設されている。
【００３９】
また、側板２７，２８には、長く伸びるロングボルト状をなした、ボルト３５の一端が枢支されている。ここでは、図５〜７に示すように、側板２７，２８の下端部側の外面であって、枠体部２１の開口部側に、ボルト３５の一端が、支軸３５ａ（図７参照）を介して支持部３７に枢支されており、ボルト３５の他端が、側板２７，２８に対して近接離反するように回動する。更に、支持部３７の、枠体部２１の開口部側からは、リング状をなした連結部３８が突設されており、該連結部３８にクランプ９２を介してチェーン９０の一端が連結されるようになっている（図２参照）。
【００４０】
また、図３に示すように、天板２５の、ヒンジ２５ａとは反対側の幅方向他端部側であって、その長手方向両端部からは、外方に向けて突出板４０，４０が突設されている。各突出板４０には、天板２５の長手方向に沿って切欠かれた第１溝４０ａが形成されており（図３参照）、ボルト３５を回動させたときに、その他端を受入れるようになっている（図１５参照）。
【００４１】
更に、図３、図４及び図１５に示すように、天板２５の外面側には、一対のヒンジ４１ｂ，４１ｂを介して、長板状をなした開閉板４１が開閉可能に取付けられている。この開閉板４１は閉じたときに、その長手方向両端部が前記第１溝４０ａ，４０ａに重なるようになっている。また、開閉板４１の長手方向両端部には、開閉板４１を閉じるときに前記ボルト３５を受入れ、前記第１溝４０ａに対して交差するように、天板２５の幅方向に沿って切欠かれた第２溝４１ａが設けられている（図３及び図１５参照）。
【００４２】
そして、上記構造をなした端部保持具２０に、複数のパイプＰを保持する際には、枠体部２１の一対の側板２７，２８及び天板２５を開いた状態で、底板２４上に複数のパイプＰを配列した後（図１２参照）、棚板３０を閉じ（図１３参照）、この棚板３０上に複数のパイプＰを配列した後、棚板２９を閉じ（図１４参照）、この棚板２９上に複数のパイプＰを配列した後、天板２５を閉じる（図１５参照）。この状態で、側板２７，２８にそれぞれ枢支された各ボルト３５をそれぞれ回動させて、その他端部を第１溝４０ａに挿入した後、開閉板４１を閉じて、第２溝４１ａにボルト３５の他端部を挿入して（図１５参照）、各ボルト３５の他端部にナット４３を螺着することで、開閉板４１が締め付け固定されて、図７に示すように、枠体部２１の天板２５と棚板２９，３０とが閉じた状態に保持されて、複数のパイプＰが複数段に積み上げた状態に保持される。
【００４３】
上記のように、この実施形態においては、上記の、ボルト３５と、ナット４３と、第１溝４０ａと、第２溝４１ａとが、本発明における枠体部２１の一部を閉じた状態に保持する「締め付け手段」をなしている。なお、一対のボルト３５の他端部に螺着されたナット４３，４３は環状部を有しており、これらの環状部に、ワイヤ４６により連結されたフック４５，４５が引き掛けられて、ナット４３，４３が互いに連結されており、ナット４３の脱落防止が図られている（図４参照）。
【００４４】
次に、図８〜１１を参照して、中間保持具５０について説明する。この中間保持具５０複数のパイプＰを囲む枠状をなすと共に、その一部が開閉して複数のパイプＰを受け入れ可能とされた枠体部５１と、同枠体部２１の一部を閉じた状態に保持する締め付け手段と、吊上げ用の吊り具５を引き掛けるための、引き掛け部８０とを有している。
【００４５】
図８及び図１１に示すように、枠体部５１は、底板５４と、該底板５４に所定間隔を設けて対向して配置される天板５５と、底板５４及び天板５５の両側部に配置される両側板５７，５８と、底板５４と天板５５との間に平行に配置されて枠体部５１内を複数段に仕切る複数の棚板５９，６０とを有している。
【００４６】
前記底板５４は長板状をなしており、該底板５４の長手方向一端部から側板５７が直角に立設しており、同底板５４の長手方向他端部から側板５８が直角に立設している（図８及び図１１参照）。側板５７は、所定高さの矩形板状をなしており、側板５８は、底板５４の長手方向に直交する幅方向（以下、単に「幅方向」という。底板５４や、天板５５、棚板５９，６０においても同様）において、高さの異なる段状をなした上端部５８ａ，５８ｂを有する（上端部５８ａが上端部５８ｂよりも高い）板状をなしている（図１０参照）。
【００４７】
前記天板５５は、底板５４に適当する長板状をなしており、その長手方向一端部が、ヒンジ５５ａを介して、側板５７の上端部に回動可能に連結されて開閉可能とされている。また、前記棚板５９は、その長手方向一端部が、ヒンジ５９ａを介して、側板５８の高い方の上端部５８ａに、回動可能に連結されて開閉可能とされている。一方、前記棚板６０は、その長手方向一端部が、ヒンジ６０ａを介して、側板５８の低い方の上端部５８ｂに、回動可能に連結されて開閉可能とされている。すなわち、この実施形態においては、枠体部５１の一方の側板５８に、配置高さの異なる一対の棚板５９，６０が、開閉可能に連結され、他方の側板５７に、天板５５が開閉可能に連結されるようになっている。
【００４８】
また、図８や図１１に示すように、底板５４や、棚板５９の上面側（パイプ載置面側）及び下面側、棚板６０の上面側、天板５５の内面側（パイプＰとの対向面側）であって、その長手方向両端からパイプ１本分の幅をあけた位置には、各板の幅方向に沿って伸びる仕切り板６１，６１が所定高さで設けられている。
【００４９】
そして、底板５４の仕切り板６１，６１が、閉じた状態の棚板５９の下面側の仕切り板６１，６１、及び、閉じた状態の棚板６０の下面に当接すると共に、天板５５の仕切り板６１，６１が、棚板５９の上面側の仕切り板６１，６１、及び、棚板６０の仕切り板６１，６１に当接することによって（図８及び図１１参照）、枠体部５１の長手方向両端部のそれぞれに、上下３段でパイプＰを保持され、また、枠体部５１の長手方向両端部を除く中央部分にも、棚板５９，６０によって、複数のパイプＰが横並びで上下３段で保持されるようになっている。
【００５０】
また、底板５４及び各棚板５９，６０には、それらの板上に載置されるパイプＰの間に挿入されて、パイプＰの横方向移動を規制する位置決め突部６２が設けられている。この実施形態では、図８や図１３、図１４に示すように、底板５４及び各棚板５９，６０であって、前記仕切り板６１，６１の間に、その幅方向に二つ一組で配置された、位置決め突部６２，６２が、パイプＰを配置可能な間隔をあけて複数組突設されている。この実施形態では、二つ一組の位置決め突部６２，６２が４組配置されており、前記仕切り板６１，６１との間で、５本のパイプＰを枠体部２１の長手方向に並列して配置可能となっている。なお、位置決め突部の形状や個数には、特に限定はない。
【００５１】
また、棚板５９，６０には、前記位置決め突部６２，６２によって、位置決めされたパイプＰの上部の径方向中央に上方から当接可能とされた押え突部６３が設けられている。この実施形態では、図８や図１１に示すように、棚板５９，６０の下面側（パイプ載置面とは反対側）に、幅狭板状をなした押え突部６３が、棚板５９，６０の幅方向に二つ一組で、隣接配置されたパイプＰの上部の径方向中央に上方から当接可能な間隔をあけて、複数組突設されている。なお、この押え突部は、天板５５に設けてもよい。
【００５２】
更に、前記天板５５の長手方向他端部の内面側からは、同天板５５を閉じたときに、側板５８の段状をなした上端部５８ａ，５８ｂに整合するように、段状をなした外板６４が垂設されている（図８及び図１０参照）。
【００５３】
また、側板５８には、長く伸びるロングボルト状をなした、ボルト６５の一端が枢支されている。ここでは、図１０，１１に示すように、側板５８の下端部側の外面であって、その幅方向中央に、ボルト６５の一端が、支軸６５ａ（図１１参照）を介して支持部６７に枢支されており、ボルト６５の他端が、側板５８に対して近接離反するように回動する。
【００５４】
更に図８や図９に示すように、側板５７，５８の下端部側の外面であって、その幅方向一端部側には、リング状をなした連結部６８が突設されている。図２に示すように、この連結部６８に、クランプ９２を介して、周知のターンバックル９４の一端が接続されている。なお、このターンバックル９４は回転させることによって、その全長を調整可能となっている。そして、このターンバックル９４の他端に、前記端部保持具２０に一端が連結されたチェーン９０の他端が、クランプ９２を介して連結される。
【００５５】
したがって、前記端部保持具２０と中間保持具５０とが、チェーン９０を介して連結され、かつ、ターンバックル９４の端部の長さを適宜調整することによって、端部保持具２０と中間保持具５０との間隔を調整可能となっている。すなわち、チェーン９０が、端部保持具２０と中間保持具５０とを連結する本発明における「連結手段」をなし、ターンバックル９４が、端部保持具２０と中間保持具５０との間隔を調整可能な本発明における「調整手段」をなしている。なお、連結手段としては、例えば、ワイヤーやロープ等であってもよく、調整手段もターンバックル９４に限定されるものではない。
【００５６】
また、図８に示すように、天板２５の、ヒンジ２５ａとは反対側の長手方向他端部側からは、外方に向けて突出板７０が突設されている。この突出板７０には、天板５５の長手方向に沿って切欠かれた第１溝７０ａが形成されており（図８参照）、ボルト６５を回動させたときに、その他端を受入れるようになっている（図１５参照）。
【００５７】
更に図９や図１５に示すように、天板５５の外面側であって、その長手方向他端部側には、ヒンジ７１ｂを介して、細長く伸びる帯状をなした開閉板７１が開閉可能に取付けられている。この開閉板７１は閉じたときに、前記第１溝７０ａに重なるようになっている。また、開閉板７１の長手方向一端部には、開閉板７１を閉じるときに前記ボルト６５を受入れ、前記第１溝７０ａに対して交差するように、天板５５の幅方向に沿って切欠かれた第２溝７１ａが設けられている（図１５参照）。なお、図９や図１５にに示すように、天板５５の外面側の長手方向一端部（ヒンジ５５ａ側）には、環状部７２が固着されている。
【００５８】
そして、上記構造をなした中間保持具５０に、複数のパイプＰを保持する際には、枠体部５１の一対の棚板５９，６０及び天板５５を開いた状態で、底板５４上に複数のパイプＰを配列した後（図１２参照）、棚板６０を閉じ（図１３参照）、この棚板６０上に複数のパイプＰを配列した後、棚板５９を閉じ（図１４参照）、この棚板５９上に複数のパイプＰを配列した後、天板５５を閉じる（図１５参照）。この状態で、側板５８に枢支されたボルト６５を回動させて、その他端部を第１溝７０ａに挿入した後、開閉板７１を閉じて、第２溝７１ａにボルト６５の他端部を挿入して（図１５参照）、各ボルト６５の他端部にナット７３を螺着することで、開閉板７１が締め付け固定されて、図１１に示すように、枠体部５１の天板５５と棚板５９，６０とが閉じた状態に保持されて、複数のパイプＰが複数段に積み上げた状態に保持される。
【００５９】
上記のように、この実施形態においては、上記の、ボルト６５と、環状部を有するナット７３と、第１溝７０ａと、第２溝７１ａとが、本発明における枠体部５１の一部を閉じた状態に保持する「締め付け手段」をなしている。なお、ナット７３の環状部と、前記環状部７２には、ワイヤ７６により連結されたフック７４やクランプ７５が引き掛けられて、ナット７３の脱落防止が図られている。また、ナット７３は、ワイヤ７７を介して支持部６７にも連結されている（図１０参照）。
【００６０】
更に、図８や、図１０、図１１に示すように、側板５７の外面には、側板５７の立設方向基端側で、かつ、幅方向一端部寄りの位置に、環状をなした引き掛け部８０が設けられていると共に、側板５８の外面であって、前記側板５７に設けた引き掛け部８０に対向する箇所に、同様の引き掛け部８０が設けられている。そして、図１５や図１６に示すように、これらの引き掛け部８０，８０に、ワイヤ１の両端部がそれぞれ引き掛けられると共に、該ワイヤ１に吊り具５が引き掛けられて、中間保持具５０を吊上げ可能となっている。
【００６１】
次に、上記構成からなる吊上げ装置１０の使用方法及び作用効果について説明する。
【００６２】
まず、図１に示すように、端部保持具２０の枠体部２１から、天板２５と、棚板２９及び棚板３０とを開くと共に、中間保持具５０の枠体部５１から、天板５５と、棚板５９及び棚板６０とを開く。また、図２に示すように、端部保持具２０の連結部３８と、中間保持具５０の連結部６８とは、クランプ９２を介してチェーン９０によって、互いに連結されている。なお、端部保持具２０の連結部３８と、中間保持具５０の連結部６８とは、各保持具２０，５０で複数のパイプＰを保持した後、クランプ９２を介してチェーン９０で互いに連結させてもよい。
【００６３】
上記状態で、複数のパイプＰの一端部を、端部保持具２０の底板２４上に横方向にそれぞれ配列すると共に、複数のパイプＰの中間部を、中間保持具５０の底板５４上に横方向にそれぞれ配列し（図１２参照）、端部保持具２０の棚板３０及び中間保持具５０の棚板６０をそれぞれ閉じる（図１３参照）。その後、複数のパイプＰを、端部保持具２０の棚板３０上及び中間保持具５０の棚板６０上に横方向にそれぞれ配列し、端部保持具２０の棚板２９及び中間保持具５０の棚板５９をそれぞれ閉じる（図１４参照）。更にその後、複数のパイプＰを、端部保持具２０の棚板２９上及び中間保持具５０の棚板５９上に横方向にそれぞれ配列し、端部保持具２０の天板２５及び中間保持具５０の天板５５をそれぞれ閉じる（図１５参照）。
【００６４】
次いで、図１５に示すように、端部保持具２０の天板２５から開閉板４１を開いた状態で、各ボルト３５をそれぞれ回動させて、その他端部を天板２５の各第１溝４０ａに挿入した後、開閉板４１を閉じて、各第２溝４１ａにボルト３５の他端部を挿入し、その後、各ボルト３５の他端部にナット４３を螺着して、開閉板４１を締め付け固定する。また、中間保持具５０の天板５５から開閉板７１を開いた状態で、ボルト６５を回動させて、その端部を天板５５の第１溝７０ａに挿入した後、開閉板７１を閉じて、その第２溝７１ａにボルト６５の他端部を挿入し、その後、ボルト６５の他端部にナット７３を螺着して、開閉板７１を締め付け固定する。
【００６５】
このとき、この実施形態においては、各保持具２０，５０の天板２５，５５を閉じた状態にし、開閉板４１，７１を開いた状態にして、ボルト３５，６５を回動させて、第１溝４０ａ，７０ａに挿入し、次いで、ボルト３５，６５を第２溝４１ａ，７１ａに挿入しつつ開閉板４１，７１を閉じて、ボルト３５，６５にナット４３，７３を螺着して、開閉板４１，７１を締め付け固定することにより、ボルト３５，６５の周囲が、第１溝４０ａ，７０ａと第２溝４１ａ，７１ａとで囲まれて、どの方向にも抜けない状態になるので、ボルト３５，６５の外れを確実に防止することができる。
【００６６】
そして、上記のように、各保持具２０，５０について、その開閉板４１，７１が締め付け固定された状態では、図７や図１１に示すように、端部保持具２０の枠体部２１の天板２５と棚板２９，３０とが閉じた状態に保持されると共に、中間保持具５０の枠体部５１の天板５５と棚板５９，６０とが閉じた状態に保持されて、複数のパイプＰが複数段に積み上げた状態に保持することができる。
【００６７】
この実施形態においては、端部保持具２０及び中間保持具５０の各段に、仕切り板３１を介して長手方向両端に１本ずつ、その間に５本ずつのパイプＰが保持されて、各段に７本ずつ、３段の合計で、２１本のパイプＰを保持可能となっている。なお、各段における、パイプＰの保持数は、６本以下であってもよい。ただし、少なくとも、端部保持具２０及び中間保持具５０の長手方向両端部には、パイプＰが上下３段で保持されることが好ましい。
【００６８】
また、この実施形態においては、各保持具２０，５０の底板２４，５４上にパイプＰを配列し、その上に複数の棚板２９，３０，５９，６０を載せて各棚板上にパイプＰを配列し、最後に天板２５，５５を被せて、締め付け手段（ボルト３５，６５、ナット４３，７３、第１溝４０ａ，７０ａ、第２溝４１ａ，７１ａ）によって、天板２５，５５と各棚板２９，３０，５９，６０とを閉じた状態に保持することにより、複数のパイプＰを複数段に積み上げて、かつ、各保持具２０，５０に設けた複数の位置決め突部３２，６２によって、パイプＰの横方向移動を規制した状態で、各保持具２０，５０に保持させることができる（図７及び図１１参照）。
【００６９】
更に、この実施形態においては、図７や図１１に示すように、各保持具２０，５０の、棚板２９，３０，５９，６０や天板２４，５４には、前記位置決め突部３２，６２によって位置決めされた、パイプＰの上部の径方向中央に上方から当接可能とされた押え突部３３，６３が設けられている。そのため、各保持具２０，５０の底板２４，５４や棚板２９，３０，５９，６０に位置決め突部３２，６２によって、横方向移動を規制された状態で載置された、パイプＰの上部の径方向中央が押え突部３３，６３で押えられることによって、複数のパイプＰをガタ付きなく保持することができる。
【００７０】
また、この実施形態の場合、端部保持具２０においては、棚板２９，３０の一端部が、側板２７，２８に回動可能に連結されているので、左右に開閉することができ、天板２５の一端部が端板に回動可能に連結されているので、前後に開閉することができる（図３参照）。この場合、天板２５と端板２３とが連結されていることにより、複数のパイプＰの端部をしっかりと保持することができ、パイプＰの抜け落ち等をより確実に防止することができる。また、中間保持具５０においては、棚板５９，６０の一端部が、一方の側板５８に回動可能に連結され、天板５５の一端部が、他方の側板５７に回動可能に連結されているので、棚板５９，６０及び天板５５をそれぞれ左右に開閉することができ（図８参照）、パイプＰの保持作業の作業性を向上させると共に、パイプＰの保持強度をバランスよく保つことができる。
【００７１】
そして、上記のようにして、端部保持具２０及び中間保持具５０で、複数のパイプＰを保持した後、中間保持具５０の引き掛け部８０，８０に、ワイヤ１の両端部をそれぞれ引き掛けると共に、同ワイヤ１を図示しないクレーン等の吊り具５に引き掛けて（図１６参照）、吊上げていく。すると、中間保持具５０が持ち上げられ、端部保持具２０により保持されたパイプＰの一端部側が下向きとなるように傾いた状態で吊上げられていく（図１７（ａ）参照）。そして、パイプＰの他端部が、作業場８の搬入スペース８ａから所定長さ通過した後、作業者がパイプＰの他端部側に力を加えて（図１７（ｂ）参照）、パイプＰを水平に近い状態にし（図１７（ｃ）参照）、この状態で、吊り具５を下げて、パイプＰを作業場８に仮置きする。その後、各保持具２０，５０のナット４３，７３を、ボルト３５，６５の端部から緩めて、第１溝４０ａ，７０ａや第２溝４１ａ，７１ａからボルト３５，６５を抜き出して、天板２５，５５から開閉板４１，７１を開き、天板２５，５５を開くことで、各保持具２０，５０からパイプＰを取出すことができる。その後、適宜、各保持具２０，５０の棚板２９，３０，５９，６０を開くことで、パイプＰを取出すことができる。
【００７２】
このように、この吊上げ装置１０においては、端部保持具２０がパイプＰの一端部に位置し、中間保持具５０が全体の重心（パイプＰを含む吊上げ装置１０の全体の重心）となる位置より、端部保持具２０から離れた位置になるように配置して、複数のパイプＰの一端部を端部保持具２０の枠体部５１に挿入設置し、パイプＰの中間部を中間保持具５０の枠体部５１に挿入設置して、それぞれの保持具２０，５０の締め付け手段によって枠体部２１，５１を閉じた状態に保持させ、端部保持具２０及び中間保持具５０を連結手段（チェーン９０）で連結して、中間保持具５０の引掛け部８０に、ワイヤ１を介して吊り具５を引き掛けて引き上げることにより、端部保持具２０が下になるように傾かせた状態で、複数のパイプＰを持ち上げることができる。
【００７３】
このとき、端部保持具２０は、中間保持具５０に連結手段で連結され、かつ、複数のパイプＰの端面に当接して軸方向移動を規制する端板（この実施形態では、複数のパイプＰは枠体部２１の各段に設けた端板２３ａ）を有しているので、パイプＰが抜け落ちる心配がない。また、各保持具２０，５０の枠体部２１，５１にパイプＰを挿入配置して、同枠体部２１，５１を閉めるだけの簡単な操作で、複数のパイプＰをスムーズに保持することができる。このように、この吊上げ装置１０においては、一対の保持具２０，５０によって、複数のパイプＰを、作業性よく、安全に保持して吊上げることができる。また、この吊上げ装置１０は、端部保持具２０と中間保持具５０とからなる分離した一対の保持具からなるので、それぞれを所定の運搬台車等によって、容易に運ぶことができると共に、保管スペースや、作業スペース等も小さくてよく、取扱い性がよい。
【００７４】
また、この実施形態においては、連結手段（この実施形態ではチェーン９０）は、端部保持具２０と中間保持具５０との間隔を調整可能な、調整手段（この実施形態ではターンバックル９４）を有しているので、パイプＰの長さに応じて、端部保持具２０と中間保持具５０との距離を変化させた場合でも、柔軟に対応することができると共に、それぞれの保持具２０，５０にパイプＰを保持させた後は、調整手段によって連結手段がたるみなく張られるようにして、中間保持具５０の引掛け部８０，８０に、吊り具５を引き掛けて引き上げたとき、端部保持具２０や中間保持具５０が軸方向にずれることを抑制することができる。
【００７５】
更に、この実施形態においては、連結手段がチェーン９０からなるので十分な引っ張り強度を付与できると共に、同チェーン９０を、中間保持具５０の引掛け部８０に引き掛ける位置や、調整手段であるターンバックル９４の取付位置を変更することによって、端部保持具２０と中間保持具５０の距離に適合させることができる。また、ターンバックル９４を回転させることにより、比較的容易にチェーン９０のたるみをなくして張設された状態にすることができる。
【００７６】
なお、本発明は、上述した実施形態に限定されるものではなく、本発明の要旨の範囲内で、各種の変形実施形態が可能であり、そのような実施形態も本発明の範囲に含まれる。
【符号の説明】
【００７７】
１  ワイヤ
３  ベルト
５  吊り具
７  保持袋
８  作業場
８ａ  搬入スペース
１０  パイプ吊上げ装置（吊上げ装置）
２０  端部保持具
２１  枠体部
２３，２３ａ  端板
２４  底板
２５  天板
２５ａ  ヒンジ
２７，２８  側板
２９，３０  棚板
２９ａ  ヒンジ
２９ｂ  外板
３０ａ  ヒンジ
３１  仕切り板
３２  位置決め突部
３３  押え突部
３４，３４  外板
３５  ボルト
３５ａ  支軸
３７  支持部
３８  連結部
４０  突出板
４０ａ  第１溝
４１  開閉板
４１ａ  第２溝
４１ｂ  ヒンジ
４３  ナット
４５  フック
４６  ワイヤ
５０  中間保持具
５１  枠体部
５４  底板
５５  天板
５５ａ  ヒンジ
５７，５８  側板
５８ａ，５８ｂ  上端部
５９，６０  棚板
５９ａ，６０ａ  ヒンジ
６１  仕切り板
６２  位置決め突部
６３  押え突部
６４  外板
６５  ボルト
６５ａ  支軸
６７  支持部
６８  連結部
７０  突出板
７０ａ  第１溝
７１  開閉板
７１ａ  第２溝
７１ｂ  ヒンジ
７２  環状部
７３  ナット
７４  フック
７５  クランプ
７６  ワイヤ
８０  引き掛け部
９０  チェーン
９２  クランプ
９４  ターンバックル
Ｐ  パイプ
【図１】
0006758095.tif 000002
【図２】
0006758095.tif 000003
【図３】
0006758095.tif 000004
【図４】
0006758095.tif 000005
【図５】
0006758095.tif 000006
【図６】
0006758095.tif 000007
【図７】
0006758095.tif 000008
【図８】
0006758095.tif 000009
【図９】
0006758095.tif 000010
【図１０】
0006758095.tif 000011
【図１１】
0006758095.tif 000012
【図１２】
0006758095.tif 000013
【図１３】
0006758095.tif 000014
【図１４】
0006758095.tif 000015
【図１５】
0006758095.tif 000016
【図１６】
0006758095.tif 000017
【図１７】
0006758095.tif 000018
【図１８】
0006758095.tif 000019